(57)【特許請求の範囲】
【請求項１】
本体内に設置され本体前面に開口する調理庫を有するロースター部と、このロースター部の前面開口部に設けられた枠体よりなるフロントプレートと、このフロントプレートに押し当てられて前記ロースター部の前面開口部を塞ぐ扉と、前記扉に連結された皿と、この皿を前記調理庫内から引き出すために前記扉の下部に設けられたハンドルと、このハンドルの下部に少なくと一箇所以上設けられ、先端の下面に突部を備えたフックを有するおさえと、前記フロントプレートの下部枠に設けられ、前記フックが挿通する大きさを有していて、前記扉と前記フロントプレートとの隙間が生じないように前記フックが乗り越えて固定されるとともに、前記扉の水平度を保つように前記おさえと接する穴と、を有する加熱調理器。
【発明の詳細な説明】
【０００１】
【発明の属する技術分野】
本発明は加熱調理器のロースター部の扉部に関するものである。
【０００２】
【従来の技術】
従来の加熱調理器、例えば誘導加熱調理器においては、図５に示すように調理器具本体１の上部左右に誘導加熱部１８を備え、その下部の左側に魚等の調理物を加熱するロースター部２を備え、右側の前面にロースター部２と誘導加熱部１８を操作する操作部１７を備えている。
【０００３】
そして、ロースター部２は図６に示すように前面が開口した調理庫５と、調理庫５を固定するフロントプレート７と、調理庫５の後部に接続され調理中の煙を本体１外に排気する排気口４と、調理庫５の開口部をふさぐ扉６と、扉６に連結された受け皿９と、調理庫５内の上部に設けられ、魚等を調理するための加熱ヒーター１４によって構成され、扉６を閉めたときの調理庫５との密閉性は、扉６と連結される受け皿９の自重のみによって保持されている。尚図５において、３は本体１の後部上面に設けられた吸気口である。
【０００４】
また、特開平１１−１２１１６３号に示すように、本体または調理庫の下部にドアキャッチを設け、ハンドルの下部にこのドアキャッチと対向するようにおさえを設け、扉を閉めた時に扉の下部に設けたおさえをドアキャッチに差し込んで前記扉と調理庫の前面開口部との密閉性を保つよう構成したものがある。
【０００５】
【発明が解決しようとする課題】
上記従来技術のうち最初に示すものは、扉６と受け皿９の自重のみで密閉性を保持していることから調理庫５と扉６の密閉性が閉め方によって大きく変わってしまうため隙間が発生しやすく、その隙間から煙漏れを助長しやすいという課題があった。
【０００６】
また、扉６に連結されている受け皿９と調理庫５の接点で扉６の水平度を一定に保つようにしているため、受け皿９が変形すると、扉６の閉状態ががたついて外観を損ねるという課題があった。
【０００７】
また、後者に示すものは、本体または調理庫の下部にドアキャッチ部を追加して組み立てなければならず、部品が増えることによる作業工程と原価が増加する課題があった。
【０００８】
【課題を解決するための手段】
この課題を解決するために本発明の加熱調理器は、本体内に設置され本体前面に開口する調理庫を有するロースター部と、このロースター部の前面開口部に設けられた枠体よりなるフロントプレートと、このフロントプレートに押し当てられて前記ロースター部の前面開口部を塞ぐ扉と、前記扉に連結された皿と、この皿を前記調理庫内から引き出すために前記扉の下部に設けられたハンドルと、このハンドルの下部に少なくと一箇所以上設けられ、先端の下面に突部を備えたフックを有するおさえと、前記フロントプレートの下部枠に設けられ、前記フックが挿通する大きさを有していて、前記扉と前記フロントプレートとの隙間が生じないように前記フックが乗り越えて固定されるとともに、前記扉の水平度を保つように前記おさえと接する穴と、を有するものである。
【０００９】
これによって部品数を増やすことなく扉と調理庫の密閉性を保つことができ、扉からの煙漏れを防ぐことができるとともに、扉のがたつきも無くした加熱調理器を提供できるものである。
【００１０】
【発明の実施の形態】
以下、本発明の実施例を図１から図４を参照しながら説明する。
【００１１】
図１は本発明の一実施例を示すロースター加熱部の要部側面断面図で、１は加熱調理器の本体、１０は鍋等の被加熱物（図示せず）を載置する絶縁板で本体１の上面に水平に設置されている。１８は誘導加熱部で絶縁板１０の下面に設置されている。２はロースター部で、誘導加熱部１８の下部に設置され、魚等の調理物を加熱するものである。
【００１２】
前記ロースター部２は、前面が開口した調理庫５と、この調理庫５の開口部において調理庫５を本体１に固定する枠体よりなるフロントプレート７と、調理庫５の後部に接続され調理中の煙を本体１外に排気するための排気口４と、調理庫５の開口部をふさぐ扉６と、扉６の前面下部に設けられたハンドル８と、扉６に連結された受け皿９と、調理庫５内の上部に設けられた魚等の調理物を加熱する加熱ヒーター１４によって構成され、また扉６はハンドル８と扉枠１５およびガラス１６で構成されている。
１１はハンドル８の下部にこれと一体に設けられたおさえで、その先端に図４に示すように下面に突部を有するフック１３を少なくとも１箇所以上設けている。
【００１３】
１２はこのフック１３と対向するようにフロントプレート７の下部枠７ａに設けられた逃げ穴で、フック１３を挿通する大きさを有している。
【００１４】
以上のように構成された加熱調理器についてその作用を説明する。
【００１５】
魚等の調理物を受け皿９の上に載せるために使用者がハンドル８を引き出すと、それに連動して受け皿９が調理庫５からスライドして引き出される。そこで受け皿９内に魚等の調理物を載せ、ハンドル８を押し、スライドさせて調理庫５内に収納する。
【００１６】
その後、加熱ヒーター１４に通電し加熱すると調理物の温度が上昇し煙が発生する。
【００１７】
通常、この煙は調理庫５の後方にある排気口４から排気されるが、扉６とフロントプレート７の間に隙間が開いている場合はその隙間から煙漏れが発生する。
【００１８】
しかし、本構成の場合は扉６をフロントプレート７に押し当てるようにして閉めることにより、ハンドル８の下部に設けたおさえ１１のフック１３がフロントプレート７の逃げ穴１２を挿通してそれを乗り越え、そこで引っかかって固定されるため、扉６とフロントプレート７との間に隙間が発生せず、調理庫５内部の温度上昇と共に煙は排気口４に流れていく。
【００１９】
さらに、扉６の閉状態での外観は受け皿９が熱や外部の圧力等により変形を起こしてしまった場合でも、フック１３がフロントプレート７に引っかかり固定されているためがたつきが発生せず、また扉６の水平度もおさえ１１とフロントプレート７の接点によって保たれるので外観を損ねることが無く使用することができる。
【００２０】
【発明の効果】
以上のように本発明によれば、特別に部品を増やすことなく調理庫の開口部と扉との密閉性を保つことができ、扉より煙漏れが発生することがない加熱調理器を提供することができる。
【００２１】
また、扉の閉状態での外観は受け皿が熱や外部の圧力等により変形を起こしてしまった場合でも、フックがフロントプレートに引っかかり固定されているためがたつきが発生せず、また扉の水平度も、おさえとフロントプレートの下部枠に設けた逃げ穴との接点によって保たれるので外観を損ねることがない加熱調理器を提供することができる。
【図面の簡単な説明】
【図１】本発明の一実施例を示すロースター加熱部の要部側面断面図である。
【図２】同、加熱調理器における扉の下面図である。
【図３】同、フロントプレートの概要図である。
【図４】同、フックの概要図である。
【図５】従来の加熱調理器の概観斜視図である。
【図６】同、ロースター加熱部の要部側面断面図である。
【符号の説明】
１    本体
２    ロースター部
５    調理庫
６    扉
７    フロントプレート
８    ハンドル
９    受け皿
１１  おさえ
１２  逃げ穴
１３  フック
１４  加熱ヒーター
１７  操作部
【図１】
0003861023.tif 000002
【図２】
0003861023.tif 000003
【図３】
0003861023.tif 000004
【図４】
0003861023.tif 000005
【図５】
0003861023.tif 000006
【図６】
0003861023.tif 000007